(57)【要約】【課題】周囲のゾーンへの影響を少なくする。【解決手段】対象ゾーンＺ（Ｘ，Ｙ）に点で接するゾーンＺ（Ｘ−１，Ｙ−１），Ｚ（Ｘ＋１，Ｙ−１），Ｚ（Ｘ−１，Ｙ＋１），Ｚ（Ｘ＋１，Ｙ＋１）に対して第１の重み係数Ｐを定め、対象ゾーンＺ（Ｘ，Ｙ）に線で接するゾーンＺ（Ｘ−１，Ｙ），Ｚ（Ｘ＋１，Ｙ），Ｚ（Ｘ，Ｙ−１），Ｚ（Ｘ，Ｙ＋１）に対して第２の重み係数Ｌ（Ｌ＞Ｐ）を定め、この第１の重み係数Ｐおよび第２の重み係数Ｌを用いて対象ゾーンＺ（Ｘ，Ｙ）に接する周囲のゾーンＺ（Ｘ−１，Ｙ−１）〜Ｚ（Ｘ＋１，Ｙ＋１）の在室人数の加重平均を求め、この加重平均と対象ゾーンＺ（Ｘ，Ｙ）の在室人数との平均を対象ゾーンＺ（Ｘ，Ｙ）の負荷Ｆ（Ｘ，Ｙ）として求める。この求めた負荷Ｆ（Ｘ，Ｙ）に基づいて対象ゾーンＺ（Ｘ，Ｙ）に対して設けられている設備２の運転を制御する。【選択図】  図１
2014085045.tif 000002
【特許請求の範囲】
【請求項１】
周囲に点で接するゾーンと線で接するゾーンとを有するゾーンを対象ゾーンとし、この対象ゾーンに対して設けられている設備の運転を前記対象ゾーンの在室人数とこの対象ゾーンに接する周囲のゾーンの在室人数とに基づいて制御する施設管理システムであって、
前記周囲のゾーンのうち前記対象ゾーンに線で接するゾーンの在室人数を重視して前記対象ゾーンに対して設けられている設備の運転を制御する制御手段
を備えることを特徴とする施設管理システム。
【請求項２】
請求項１に記載された施設管理システムにおいて、
前記制御手段は、
前記対象ゾーンに点で接するゾーンに対して第１の重み係数を定め、前記対象ゾーンに線で接するゾーンに対して第２の重み係数を定め、この第１の重み係数および第２の重み係数を用いて前記対象ゾーンに接する周囲のゾーンの在室人数の加重平均を求め、この加重平均と前記対象ゾーンの在室人数との平均を前記対象ゾーンの負荷として求め、この求めた負荷に基づいて前記対象ゾーンに対して設けられている設備の運転を制御する
ことを特徴とする施設管理システム。
【請求項３】
請求項１に記載された施設管理システムにおいて、
前記制御手段は、
前記周囲のゾーンのうち前記対象ゾーンに線で接するゾーンの在室人数のみを利用して前記対象ゾーンに対して設けられている設備の運転を制御する
ことを特徴とする施設管理システム。
【請求項４】
請求項３に記載された施設管理システムにおいて、
前記制御手段は、
前記対象ゾーンに線で接するゾーンの在室人数が０で、かつ前記対象ゾーンの在室人数が０であった場合、前記対象ゾーンに対して設けられている設備の運転をオフとする
ことを特徴とする施設管理システム。
【請求項５】
請求項２に記載された施設管理システムにおいて、
前記制御手段は、
前記対象ゾーンに対して定められている最大在室人数と前記求められた対象ゾーンの負荷との比率を負荷率として算出し、この算出した負荷率に基づいて前記対象ゾーンに対して設けられている設備の運転を制御する
ことを特徴とする施設管理システム。
【請求項６】
請求項５に記載された施設管理システムにおいて、
前記制御手段は、
前記対象ゾーンの在室人数が０である場合にのみ、前記負荷率を算出し、この算出した負荷率に基づいて前記対象ゾーンに対して設けられている設備の運転を制御する
ことを特徴とする施設管理システム。
【請求項７】
周囲に点で接するゾーンと線で接するゾーンとを有するゾーンを対象ゾーンとし、この対象ゾーンに対して設けられている設備の運転を前記対象ゾーンの在室人数とこの対象ゾーンに接する周囲のゾーンの在室人数とに基づいて制御する施設管理方法であって、
前記周囲のゾーンのうち前記対象ゾーンに線で接するゾーンの在室人数を重視して前記対象ゾーンに対して設けられている設備の運転を制御する制御ステップ
を備えることを特徴とする施設管理方法。
【請求項８】
請求項７に記載された施設管理方法において、
前記制御ステップは、
前記対象ゾーンに点で接するゾーンに対して第１の重み係数を定め、前記対象ゾーンに線で接するゾーンに対して第２の重み係数を定め、この第１の重み係数および第２の重み係数を用いて前記対象ゾーンに接する周囲のゾーンの在室人数の加重平均を求め、この加重平均と前記対象ゾーンの在室人数との平均を前記対象ゾーンの負荷として求め、この求めた負荷に基づいて前記対象ゾーンに対して設けられている設備の運転を制御する
ことを特徴とする施設管理方法。
【請求項９】
請求項７に記載された施設管理方法において、
前記制御ステップは、
前記周囲のゾーンのうち前記対象ゾーンに線で接するゾーンの在室人数のみを利用して前記対象ゾーンに対して設けられている設備の運転を制御する
ことを特徴とする施設管理方法。
【請求項１０】
請求項９に記載された施設管理方法において、
前記制御ステップは、
前記対象ゾーンに線で接するゾーンの在室人数が０で、かつ前記対象ゾーンの在室人数が０であった場合、前記対象ゾーンに対して設けられている設備の運転をオフとする
ことを特徴とする施設管理方法。
【請求項１１】
請求項８に記載された施設管理方法において、
前記制御ステップは、
前記対象ゾーンに対して定められている最大在室人数と前記求められた対象ゾーンの負荷との比率を負荷率として算出し、この算出した負荷率に基づいて前記対象ゾーンに対して設けられている設備の運転を制御する
ことを特徴とする施設管理方法。
【請求項１２】
請求項１１に記載された施設管理方法において、
前記制御ステップは、
前記対象ゾーンの在室人数が０である場合にのみ、前記負荷率を算出し、この算出した負荷率に基づいて前記対象ゾーンに対して設けられている設備の運転を制御する
ことを特徴とする施設管理方法。
【発明の詳細な説明】
【技術分野】
【０００１】
この発明は、空調設備や照明設備などの設備の運転を制御する施設管理システムおよび方法に関するものである。
【背景技術】
【０００２】
従来より、ビル等の施設においては、空間をゾーンに区切り、そのゾーン内の在室人数を検知して、そのゾーンに対して設けられている空調設備や照明設備などの設備の運転を制御するという方法がとられている。
【０００３】
例えば、特許文献１に示された居住空間監視制御装置では、監視対象場所を複数のゾーンに分け、各ゾーンの在室人数を検知して、各ゾーンの空調設備を制御したり、照明設備を制御するようにしている。
【先行技術文献】
【特許文献】
【０００４】
【特許文献１】特開平９−４８５６５号公報
【発明の概要】
【発明が解決しようとする課題】
【０００５】
しかしながら、空間をゾーンに区切って設備の運転を制御する場合、個別の部屋と違い、物理的に区切られていない空間（仕切りのない空間）では、隣接するゾーンに影響を与えてしまうという問題があった。
【０００６】
例えば、設備を空調設備とした場合、あるゾーンの在室者が０になってそのゾーンの空調が停止されてしまうと、そのゾーンの影響を受けて、まだ在室者がいる隣接するゾーンの空調が弱くなり、快適性を損ねてしまう。
【０００７】
例えば、設備を照明設備とした場合、あるゾーンの在室者が０になってそのゾーンの照明が落とされてしまうと、そのゾーンの影響を受けて、まだ在室者がいる隣接するゾーンの照明が暗くなり、業務に影響が出てしまう。
【０００８】
本発明は、このような課題を解決するためになされたもので、その目的とするところは、周囲のゾーンへの影響を少なくすることが可能な施設管理システムおよび方法を提供することにある。
【課題を解決するための手段】
【０００９】
このような目的を達成するために本発明は、周囲に点で接するゾーンと線で接するゾーンとを有するゾーンを対象ゾーンとし、この対象ゾーンに対して設けられている設備の運転を対象ゾーンの在室人数とこの対象ゾーンに接する周囲のゾーンの在室人数とに基づいて制御する施設管理システムであって、周囲のゾーンのうち対象ゾーンに線で接するゾーンの在室人数を重視して対象ゾーンに対して設けられている設備の運転を制御する制御手段を備えることを特徴とする。
【００１０】
本発明において、例えば、空間をＸ軸とＹ軸とで区切った場合、１つのゾーンには、その周囲に８つのゾーンが存在する。すなわち、１つのゾーンを中心とし、この中心のゾーンに対して、その周囲に８つのゾーンが存在する。この場合、中心のゾーンが本発明でいう対象ゾーンに相当し、８つのゾーンが本発明でいう周囲のゾーンに相当する。この周囲の８つのゾーンには、線で接するゾーンと、点で接するゾーンとが存在する。
【００１１】
この場合、中心のゾーンでの設備の運転制御が与える影響は、点で接するゾーンと線で接するゾーンとでは異なり、線で接するゾーンへの影響は大きく、点で接するゾーンへの影響は小さい。そこで、本発明では、周囲のゾーンのうち、対象ゾーンに点で接するゾーンの在室人数よりも対象ゾーンに線で接するゾーンの在室人数を重視して、対象ゾーンに対して設けられている設備の運転を制御するようにし、周囲のゾーンへの影響を少なくする。
【００１２】
例えば、本発明の１つの方式として、対象ゾーンに点で接するゾーンに対して第１の重み係数（Ｐ）を定め、対象ゾーンに線で接するゾーンに対して第２の重み係数（Ｌ）を定め、この第１の重み係数（Ｐ）および第２の重み係数（Ｌ）を用いて対象ゾーンに接する周囲のゾーンの在室人数の加重平均を求め、この加重平均と対象ゾーンの在室人数との平均を対象ゾーンの負荷として求める。そして、この求めた負荷に基づいて対象ゾーンに対して設けられている設備の運転を制御するようにする。
【００１３】
また、本発明において、周囲のゾーンのうち対象ゾーンに線で接するゾーンの在室人数のみを利用して、すなわち周囲のゾーンのうち対象ゾーンに点で接するゾーンの在室人数を無視して、対象ゾーンに対して設けられている設備の運転を制御するようにしてもよい。
【００１４】
また、本発明において、対象ゾーンに線で接するゾーンの在室人数が０で、かつ対象ゾーンの在室人数が０であった場合、対象ゾーンに対して設けられている設備の運転をオフとしたり、対象ゾーンに対して定められている最大在室人数と前記対象ゾーンの負荷との比率を負荷率として算出し、この算出した負荷率に基づいて対象ゾーンに対して設けられている設備の運転を制御するようにしてもよい。また、対象ゾーンの在室人数が０である場合にのみ、前記負荷率を算出し、この算出した負荷率に基づいて対象ゾーンに対して設けられている設備の運転を制御するようにしたりしてもよい。
【発明の効果】
【００１５】
本発明によれば、周囲のゾーンのうち対象ゾーンに線で接するゾーンの在室人数を重視して対象ゾーンに対して設けられている設備の運転を制御するようにしたので、対象ゾーンでの設備の運転制御が与える影響が小さい点で接するゾーンの在室人数よりも、対象ゾーンでの設備の運転制御が与える影響が大きい線で接するゾーンの在室人数を重視して、対象ゾーンに対して設けられている設備の運転を制御されるものとなり、周囲のゾーンへの影響を少なくすることが可能となる。
【図面の簡単な説明】
【００１６】
【図１】本発明に係る施設管理システムの一実施の形態の要部を示す図である。
【図２】この施設管理システムにおける制御装置が有する設備運転制御機能を説明するためのフローチャートである。
【図３】施設の利用者が携帯するＩＤカードに書き込まれている情報を例示する図である。
【発明を実施するための形態】
【００１７】
以下、本発明の実施の形態を図面に基づいて詳細に説明する。図１はこの発明に係る施設管理システムの一実施の形態の要部を示す図である。
【００１８】
図１において、１はＸ軸とＹ軸とで区切られた空間、２はこの空間の中心のゾーンＺ（Ｘ，Ｙ）に対して設けられた設備、３はこの設備２の運転を制御する制御装置である。
【００１９】
空間１において、中心のゾーンＺ（Ｘ，Ｙ）の周囲には、８つのゾーンＺ（Ｘ−１，Ｙ−１）〜Ｚ（Ｘ＋１，Ｙ＋１）が周囲のゾーンとして存在する。すなわち、中心のゾーンＺ（Ｘ，Ｙ）に点で接するゾーンＺ（Ｘ−１，Ｙ−１），Ｚ（Ｘ＋１，Ｙ−１），Ｚ（Ｘ−１，Ｙ＋１），Ｚ（Ｘ＋１，Ｙ＋１）と、中心のゾーンＺ（Ｘ，Ｙ）に線で接するゾーンＺ（Ｘ−１，Ｙ），Ｚ（Ｘ＋１，Ｙ），Ｚ（Ｘ，Ｙ−１），Ｚ（Ｘ，Ｙ＋１）とが存在する。
【００２０】
制御装置３は、プロセッサや記憶装置からなるハードウェアと、これらのハードウェアと協働して各種機能を実現させるプログラムとによって実現され、本実施の形態特有の機能として、中心のゾーンＺ（Ｘ，Ｙ）を対象ゾーンとし、この対象ゾーンＺ（Ｘ，Ｙ）に対して設けられている設備２の運転を制御する設備運転制御機能を有している。
【００２１】
なお、対象ゾーン（Ｘ，Ｙ）に点で接するゾーンＺ（Ｘ−１，Ｙ−１），Ｚ（Ｘ＋１，Ｙ−１），Ｚ（Ｘ−１，Ｙ＋１），Ｚ（Ｘ＋１，Ｙ＋１）に対しては第１の重み係数（点で接するゾーンの重み係数）Ｐが定められ、対象ゾーン（Ｘ，Ｙ）に線で接するゾーンＺ（Ｘ−１，Ｙ），Ｚ（Ｘ＋１，Ｙ），Ｚ（Ｘ，Ｙ−１），Ｚ（Ｘ，Ｙ＋１）に対しては第２の重み係数（線で接するゾーンの重み係数）Ｌが定められ、制御装置３のメモリＭに設定されている。本実施の形態において、線で接するゾーンの重み係数Ｌは、点で接するゾーンの重み係数Ｐよりも大きいもの（Ｌ＞Ｐ）とされている。
【００２２】
以下、図２に示したフローチャートに従って、制御装置３が有する設備運転制御機能について説明する。
【００２３】
制御装置３は、空間１における各ゾーンの在室人数、すなわち対象ゾーンＺ（Ｘ，Ｙ）および周囲のゾーンＺ（Ｘ−１，Ｙ−１）〜Ｚ（Ｘ＋１，Ｙ＋１）の在室人数を取得する（ステップＳ１０１）。この場合、各ゾーンの在室人数の取得方法は、無線タグ、自己申告、入退室情報からの取得など、その方式は問わない。
【００２４】
そして、制御装置３は、メモリＭから点で接するゾーンの重み係数Ｐと線で接するゾーンの重み係数Ｌを取得し（ステップＳ１０２）、下記に示す（１）式によって、対象ゾーンＺ（Ｘ，Ｙ）の負荷Ｆ（Ｘ，Ｙ）を求める（ステップＳ１０３）。
【００２５】
【数１】
2014085045.tif 000003
【００２６】
なお、この（１）式において、Ｚ（ｘ，ｙ）は対象ゾーンＺ（Ｘ，Ｙ）の在室人数、Ｚ（ｘ−１，ｙ−１），Ｚ（ｘ＋１，ｙ−１），Ｚ（ｘ−１，ｙ＋１），Ｚ（ｘ＋１，ｙ＋１）は対象ゾーン（Ｘ，Ｙ）に点で接するゾーンＺ（Ｘ−１，Ｙ−１），Ｚ（Ｘ＋１，Ｙ−１），Ｚ（Ｘ−１，Ｙ＋１），Ｚ（Ｘ＋１，Ｙ＋１）の在室人数、Ｚ（ｘ−１，ｙ），Ｚ（ｘ＋１，ｙ），Ｚ（ｘ，ｙ−１），Ｚ（ｘ，ｙ＋１）は対象ゾーン（Ｘ，Ｙ）に線で接するゾーンＺ（Ｘ−１，Ｙ），Ｚ（Ｘ＋１，Ｙ），Ｚ（Ｘ，Ｙ−１），Ｚ（Ｘ，Ｙ＋１）の在室人数を示す。
【００２７】
上記（１）式より分かるように、制御装置３は、点で接するゾーンの重み係数Ｐと線で接するゾーンの重み係数Ｌとを用いて対象ゾーンＺ（Ｘ，Ｙ）に接する周囲のゾーンの在室人数の加重平均を求め、この加重平均と対象ゾーンＺ（Ｘ，Ｙ）の在室人数Ｚ（ｘ，ｙ）との平均を対象ゾーンＺ（Ｘ，Ｙ）の負荷Ｆ（Ｘ，Ｙ）として求める。
【００２８】
そして、制御装置３は、この求めた対象ゾーンＺ（Ｘ，Ｙ）の負荷Ｆ（Ｘ，Ｙ）に応じて設備２の運転を制御する（ステップＳ１０４）。
【００２９】
例えば、設備２を空調設備とした場合、負荷Ｆ（Ｘ，Ｙ）が大きければ、対象ゾーンＺ（Ｘ，Ｙ）に対する空調を強め、負荷Ｆ（Ｘ，Ｙ）が小さければ、対象ゾーンＺ（Ｘ，Ｙ）に対する空調を弱め、負荷Ｆ（Ｘ，Ｙ）が０となれば、対象ゾーンＺ（Ｘ，Ｙ）に対する空調を停止する。
【００３０】
例えば、設備２を照明設備とした場合、負荷Ｆ（Ｘ，Ｙ）が大きければ、対象ゾーンＺ（Ｘ，Ｙ）に対する照明を強め、負荷Ｆ（Ｘ，Ｙ）が小さければ、対象ゾーンＺ（Ｘ，Ｙ）に対する照明を弱め、負荷Ｆ（Ｘ，Ｙ）が０となれば、対象ゾーンＺ（Ｘ，Ｙ）に対する照明を停止する。
【００３１】
制御装置３は、このステップＳ１０１〜Ｓ１０４の処理動作を繰り返し実行する。
【００３２】
空間１において、対象ゾーンＺ（Ｘ，Ｙ）での設備２の運転制御が与える影響は、点で接するゾーンと線で接するゾーンとでは異なり、線で接するゾーンＺ（Ｘ−１，Ｙ），Ｚ（Ｘ＋１，Ｙ），Ｚ（Ｘ，Ｙ−１），Ｚ（Ｘ，Ｙ＋１）への影響は大きく、点で接するゾーンＺ（Ｘ−１，Ｙ−１），Ｚ（Ｘ＋１，Ｙ−１），Ｚ（Ｘ−１，Ｙ＋１），Ｚ（Ｘ＋１，Ｙ＋１）への影響は小さい。この設備２の運転制御が与える影響を考慮して、本実施の形態では、上記（１）式において、線で接するゾーンの重み係数Ｌを点で接するゾーンの重み係数Ｐよりも大きくしている。
【００３３】
これにより、本実施の形態では、周囲のゾーンＺ（Ｘ−１，Ｙ−１）〜Ｚ（Ｘ＋１，Ｙ＋１）のうち、対象ゾーンＺ（Ｘ，Ｙ）に点で接するゾーンの在室人数よりも対象ゾーンに線で接するゾーンの在室人数を重視して、対象ゾーンＺ（Ｘ，Ｙ）に対して設けられている設備２の運転が制御されるものとなり、周囲のゾーンＺ（Ｘ−１，Ｙ−１）〜Ｚ（Ｘ＋１，Ｙ＋１）への影響が少なくなる。
【００３４】
なお、照明のように点で接するゾーンの影響を殆どうけない設備であれば、上記（１）式において、点で接するゾーンの重み係数Ｐを０とするようにしてもよい。この場合、対象ゾーンＺ（Ｘ，Ｙ）の在室人数が０で、かつ線で接するゾーンＺ（Ｘ−１，Ｙ），Ｚ（Ｘ＋１，Ｙ），Ｚ（Ｘ，Ｙ−１），Ｚ（Ｘ，Ｙ＋１）の在室人数が０となった場合、点で接するゾーンＺ（Ｘ−１，Ｙ−１），Ｚ（Ｘ＋１，Ｙ−１），Ｚ（Ｘ−１，Ｙ＋１），Ｚ（Ｘ＋１，Ｙ＋１）の在室人数に拘わらず、負荷Ｆ（Ｘ，Ｙ）が０となり、照明が停止されるものとなる。
【００３５】
また、節電を優先する場合は、上記（１）式の演算を行わずに、対象ゾーンＺ（Ｘ，Ｙ）の在室人数が０になれば、対象ゾーンＺ（Ｘ，Ｙ）に対して設けられている設備２の運転をオフとするような機能を付加するようにしてもよい。この機能は必要に応じて選択できるものとする。
【００３６】
また、上記（１）式を用いずに、線で接するゾーンＺ（Ｘ−１，Ｙ），Ｚ（Ｘ＋１，Ｙ），Ｚ（Ｘ，Ｙ−１），Ｚ（Ｘ，Ｙ＋１）の在室人数の平均値を求め、この線で接するゾーンの在室人数の平均値と対象ゾーンＺ（Ｘ，Ｙ）の在室人数とから対象ゾーンＺ（Ｘ，Ｙ）の負荷Ｆ（Ｘ，Ｙ）を求め、この求めた負荷Ｆ（Ｘ，Ｙ）に応じて設備２の運転を制御するようにしてもよい。
【００３７】
また、単純に、対象ゾーンＺ（Ｘ，Ｙ）に線で接するゾーンＺ（Ｘ−１，Ｙ），Ｚ（Ｘ＋１，Ｙ），Ｚ（Ｘ，Ｙ−１），Ｚ（Ｘ，Ｙ＋１）の在室人数が０で、かつ対象ゾーンＺ（Ｘ，Ｙ）の在室人数が０であった場合に、対象ゾーンＺ（Ｘ，Ｙ）に対して設けられている設備２の運転をオフとするようにしてもよい。
【００３８】
また、対象ゾーンＺ（Ｘ，Ｙ）に対して定められている最大在室人数とステップＳ１０３で求められた対象ゾーンの負荷Ｆ（Ｘ，Ｙ）との比率を負荷率として算出し、この算出した負荷率に基づいて対象ゾーンＺ（Ｘ，Ｙ）に対して設けられている設備２の運転を制御するようにしてもよい。この場合、対象ゾーンＺ（Ｘ，Ｙ）の在室人数が０である場合にのみ、負荷率を算出し、この算出した負荷率に基づいて対象ゾーンＺ（Ｘ，Ｙ）に対して設けられている設備２の運転を制御するようにしてもよい。
【００３９】
なお、上述した実施の形態では、対象ゾーンＺ（Ｘ，Ｙ）の周囲に８つのゾーンが存在するものとしたが、対象ゾーンＺ（Ｘ，Ｙ）の一辺が壁面に接していたり、対象ゾーンＺ（Ｘ，Ｙ）の二辺が壁面に接していたりする場合もある。このような場合、負荷Ｆ（Ｘ，Ｙ）を求める式を変える必要があり、例えば、対象ゾーンＺ（Ｘ，Ｙ）の一辺が壁面に接している場合（Ｙ＝０の例）には、下記（２）式を用いるようにし、対象ゾーンＺ（Ｘ，Ｙ）の二辺が壁面に接している場合（Ｘ＝０，Ｙ＝０の例）には、下記（３）式を用いるようにするとよい。
【００４０】
【数２】
2014085045.tif 000004
【００４１】
【数３】
2014085045.tif 000005
【００４２】
また、上述した実施の形態では、各ゾーンの在室人数を取得する方法につては、無線タグ、自己申告、入退室情報からの取得など、その方式は問わないものとしたが、入退室情報から取得する場合について簡単に説明を加えておく。
【００４３】
図３に施設の利用者が携帯するＩＤカードに書き込まれている情報を例示する。ＩＤカードとしては、メモリカードやＩＣカードなどが用いられ、利用者の個人ＩＤ（個人番号）が個人識別情報として書き込まれ、利用者の氏名，電話番号，メールアドレス，部署名，許可区画，ホームポジションＮＯなどが利用者のユーザ情報として書き込まれている。
【００４４】
施設において、各区画への出入り口には、ＩＤカードに書き込まれている情報を読み取るカードリーダが設けられており、利用者はこのカードリーダにＩＤカードをかざす。ＩＤカードに書き込まれている個人ＩＤが登録されているものであれば、その区画のドアに設けられた電気錠が解錠され、その区画への入室が許可される。この際、ＩＤカードに書き込まれているホームポジションＮＯを読み出し、制御装置３（図１）へ送るようにする。
【００４５】
制御装置３は、図１に示した対象ゾーンＺ（Ｘ，Ｙ）や周囲のゾーンＺ（Ｘ−１，Ｙ−１）〜Ｚ（Ｘ＋１，Ｙ＋１）のそれぞれについてホームポジションＮＯが割り当てられているものとした場合、これらゾーン毎にＩＤカードから読み出されたホームポジションＮＯに基づいて在室人数をカウントする。この場合、各ゾーンの在室人数は、そのゾーンに利用者が位置するであろうものとして、ＩＤカードからホームポジションＮＯが読み取られた段階でカウントアップされる。すなわち、本発明でいうゾーンの在室人数は、そのゾーンに実際に人が位置している場合だけではなく、位置する予定である場合も含むものである。
【００４６】
制御装置３は、このようにしてＩＤカードに書き込まれているホームポジションＮＯから各ゾーンの在室人数を取得し、図２に示したステップＳ１０１〜Ｓ１０４の処理動作を繰り返すことによって、対象ゾーンＺ（Ｘ，Ｙ）に対して設けられている設備２の運転を制御する。
【００４７】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４８】
１…空間、２…設備、３…制御装置、Ｚ（Ｘ，Ｙ）…対象ゾーン、Ｚ（Ｘ−１，Ｙ−１）〜Ｚ（Ｘ＋１，Ｙ＋１）…周囲のゾーン、Ｍ…メモリ。
【図１】
2014085045.tif 000006
【図２】
2014085045.tif 000007
【図３】
2014085045.tif 000008